(57)【特許請求の範囲】
【請求項１】
浴槽から浴水を入水して所定の浄化処理を行った後に、浄化後の浴水を浴槽に出水する、浴水浄化装置において、
前記浴水を循環させるための非自給式ポンプと、
該非自給式ポンプに並列又は直列に配設された自給式ポンプと、
通常運転時は前記非自給式ポンプを用い、水張り時は前記自給式ポンプを用いて水張り動作を実行し、水張りが状態が確認されたら前記非自給式ポンプの運転に切り替えるように制御する制御装置と、
前記自給式ポンプによる水張りに要する基準時間を与える手段と、を備え
前記制御装置が該基準時間を与える手段からの基準時間に基づいて水張り状態を認識する、  ことを特徴とする浴水浄化装置。
【請求項２】
前記基準時間を与える手段は、
水張りの計時タイマと水張り基準時間を記憶するメモリとを備え、
実際に水張りを行って、前記計時タイマにより水張りに必要な基準時間を決定し、該決定した基準時間を前記メモリに記憶する、
請求項１の浴水浄化装置。
【請求項３】
前記制御装置が、運転開始時には前記自給式ポンプを用いて水張り動作を実行し、水張りが状態が確認されたら前記非自給式ポンプの運転に切り替えて通常運転を行うように制御する、
請求項１に記載の浴水浄化装置。
【発明の詳細な説明】
【０００１】
【発明の属する技術分野】
この発明は、浴水浄化装置に関する。
【０００２】
【従来の技術】
浴槽の浴水を循環して浄化する浴水浄化装置が近年普及している。図１１に示すように浴水浄化装置の内部には循環ポンプＰが備えられており、この循環ポンプＰにより浴槽Ｂから浴水を入水して、濾過や殺菌或いは加熱等の所定の処理を施したうえ、浴槽Ｂに出水するようになっている。
このような浴水浄化装置において、装置内部の洗浄やメンテナンスに際しては装置内部や配管の水を抜く必要があるため、洗浄後或いはメンテナンス後に装置内部及び配管に水張りをしてから使用しなければならず、水張りの手間がかかる問題があった。
【０００３】
【発明が解決しようとする課題】
この欠点を解消するためには循環ポンプとして、自給式タイプのものを使用すれば良いが、自給式ポンプは値段が高く、その構造上閉鎖圧が高いため装置や配管の耐圧性能を高めなければならず更にコストアップとなる上自給性能の向上に制限があり、更に長時間自給運転を行うことはポンプ寿命の短縮化を招く等の問題がある。
本発明は上記従来技術の欠点を改善することを目的とする。
【０００４】
【課題を解決するための手段】
上記目的を達成するために、本発明は、浴槽から浴水を入水して所定の浄化処理を行った後に、浄化後の浴水を浴槽に出水する、浴水浄化装置において、前記浴水を循環させるための非自給式ポンプと、該非自給式ポンプに並列又は直列に配設された自給式ポンプと、通常運転時は前記非自給式ポンプを用い、水張り時は前記自給式ポンプを用いて水張り動作を実行し、水張り状態が確認されたら前記非自給式ポンプの運転に切り替えるように制御する制御装置と、前記自給式ポンプによる水張りに要する基準時間を与える手段と、を備え、前記制御装置が該基準時間を与える手段からの基準時間に基づいて水張り状態を認識する、ことを特徴とする。
上記構成により自給式ポンプにより手作業によらずに装置や配管への水張りが可能になる。また自給式ポンプは水張り時にのみ使用されるから、容量の小さなものでよく、そのため装置自体或いは配管の耐圧性能を高める必要がなく、コストアップが少なくてすむ。また自給性能の向上やポンプの長寿命化も図ることが可能である。
また、前記基準時間を与える手段は、水張りの計時タイマと水張り基準時間を記憶するメモリとを備え、実際に水張りを行って、前記計時タイマにより水張りに必要な基準時間を決定し、該決定した基準時間を前記メモリに記憶する、ように構成することが可能である。この構成の場合、実際に水張り時間を計時し、それを基準時間とするから、正確な基準時間を得られる効果がある。
また運転開始キーの操作などによる運転開始時には、前記自給式ポンプを用いて水張り動作を実行し、水張りが状態が確認されたら前記非自給式ポンプの運転に切り替えて通常運転を行うように制御するように構成することも可能である。この構成の場合、運転開始時には必ず水張り動作が自動的に行われるから、水張り忘れなどに起因する事故を未然に防止できる。
【０００５】
【発明の実施の形態】
以下本発明の実施の形態を図面に基づいて説明する。
図１において、浴槽Ｂには入水配管１が接続し、該入水配管１を介して浴槽Ｂの浴水を非自給式ポンプＰ１により吸引し、濾過タンクＴに送り、ヒータＨにて所定温度に加温して、出水配管２を介して浴槽Ｂに浴水を戻すように構成されている。非自給式ポンプＰ１の浴槽Ｂ側には逆止弁Ｖ１が設けられており、浴水の逆流を防止するようになっている。
【０００６】
非自給式ポンプＰ１の両端には並列配管３が設けられており、この並列配管３の途中に自給式ポンプＰ２と逆止弁Ｖ２が介装されている。自給式ポンプＰ２は装置内部及び各管路に水張りするために用いられるものであって、通常は図１に示すように非自給式ポンプＰ１のみを使用する。通常運転時には浴水は入水配管１から逆止弁Ｖ１と非自給式ポンプＰ１を通って濾過タンクＴに至り、ヒータＨから出水配管２を通って浴槽Ｂに戻るように構成されている。
【０００７】
図２は水張り時の浴水の流れを示すもので、非自給式ポンプＰ１は駆動を停止し、自給式ポンプＰ２のみが稼働し、浴水は入水配管１から逆止弁Ｖ２と自給式ポンプＰ２を通って濾過タンクＴ、ヒータＨを経由し、出水配管２から浴槽Ｂへと戻るように構成されている。逆止弁Ｖ１により自給式ポンプＰ２、非自給式ポンプＰ１間で浴水が循環することがなく円滑に水張りが行われる。
【０００８】
以上のように水張りは自給式ポンプＰ２により行われるため、従来のように水張りの手間が軽減される。また自給式ポンプＰ２は水張り時にのみ使用されるためその容量は非自給式ポンプＰ１よりも小さくて良く、水張りを行える容量であれば十分である。また、自給式ポンプＰ２の駆動は水張りの時だけであり、容量も小さいため、装置内部の濾過タンクＴや各管路の耐圧も大きくする必要がない。
【０００９】
非自給式ポンプＰ１、自給式ポンプＰ２或いはヒータＨ等の装置全体の制御を行うための制御装置５とユーザが操作するための操作装置６とが備えれられている。ユーザが操作装置６を介して水張り指令或いは運転開始指令を出すと、制御装置５は自給式ポンプＰ２を駆動して水張りを行わせ、水張りが完了したら自給式ポンプＰ２を停止し、非自給式ポンプＰ１の駆動に切り替えて通常の運転を行うように構成されている。
水張り完了を検知する手段としては、制御装置５内にタイマ手段を用い、水張り時間をカウントして所定時間経過したら水張り完了と見なすように構成している。この場合所定時間は予め決めておいた時間でも良いし、実際に水張りを行いその時に要した時間をメモリ等に記憶させておくように構成することも可能である。
【００１０】
図３と図４は他の実施例を示すもので、ここでは非自給式ポンプＰ１の入水配管１側に逆止弁Ｖ１に並列に直列配管４を設けて、ここに自給式ポンプＰ２を介装し、非自給式ポンプＰ１と自給式ポンプＰ２を直列に接続している。
図４は水張り時の浴水の流れを示すものである。
他の構成は図１に実施例と同じであるため説明を省略する。
【００１１】
図５と図６は直列配置の他の実施形態であり、非自給式ポンプＰ１の濾過タンクＴ側に逆止弁Ｖ１を設け、これと並列に直列配管４を設け、ここに自給式ポンプＰ２を介装した構成なっている。
図６は水張り時の浴水の流れを示すものである。
他の構成は図１に実施例と同じであるため説明を省略する。
【００１２】
図７と図８により動作を説明する。ここでは、水張りの計時タイマと水張り時間を記憶するメモリを備え、実際に水張りを行って必要な基準時間を決定し、以後該基準時間に基づいて水張り動作を行うように構成されている。
制御装置５は操作装置６の水張りキーが押されたか否かチェックし（ステップＳ１）、水張りキーが押されるとタイマのカウントを開始し（ステップＳ２）、同時に自給式ポンプＰ２の運転を開始する（ステップＳ３）。操作者が水張りの終了を確認し（ステップＳ４）、水張りキーを再度押すと（ステップＳ５）、制御装置５は自給式ポンプＰ２を停止し（ステップＳ６）、タイマの計時時間をメモリに記憶する（ステップＳ７）。
【００１３】
図８において、運転キーが押されると（ステップＳ８）、メモリから記憶した水張り時間を読み出し（ステップＳ９）、同時に自給式ポンプＰ２の運転を開始し（ステップＳ１０）、タイマを始動して運転時間のカウントを開始する（ステップＳ１１）。運転時間が記憶された水張り時間に達すると（ステップＳ１２）、自給式ポンプＰ２を停止し（ステップＳ１３）、非自給式ポンプＰ１の運転を開始し（ステップＳ１４）、通常運転状態になる。
【００１４】
図９により水有り／無しセンサを用いた場合の動作を参考例として説明する。
運転キーが押されると（ステップＳ１５）、自給式ポンプＰ２の運転が開始され（ステップＳ１６）、水有り状態がセンサにより検出されると（ステップＳ１７）、自給式ポンプＰ２を停止し（ステップＳ１８）、非自給式ポンプＰ１の運転を開始し（ステップＳ１９）、通常運転を行う。
【００１５】
以上説明した実施形態の構成によれば、水張りを自給式ポンプＰ２により行うことができユーザの負担が軽減される。また、運転開始時には自動的に水張り動作が実行されるため、水張り忘れの危険がない。更に、自給式ポンプＰ２は小型で良く、しかも装置全体の耐圧性能を高くする必要がないから、コストアップを抑制できる、等の効果がある。
【００１６】
なお、上記実施形態においては、非自給式ポンプＰ１に流量調整機能を持たせ、装置の設置状態により発生する浴水の循環流量のバラツキを抑えて、適正な浄化機能を発揮できる流量を維持できるようになっている。
図１０にこの動作を示す。
通常運転時に（ステップＳ３０）、流量調整機能が選択され（ステップＳ３１）、流量調整操作がなされ（ステップＳ３２）、該操作が終了すると（ステップＳ３３）、調整状態を記憶し（ステップＳ３４）、この状態で通常運転を行う。
【００１７】
【発明の効果】
以上説明したように本発明の浴水浄化装置によれば、水張りを自給式ポンプにより行うことができユーザの負担が軽減される。また、自給式ポンプは小型で良く、しかも装置全体の耐圧性能を高くする必要がない等の効果がある。
【図面の簡単な説明】
【図１】本発明の一実施形態を示す模式図。
【図２】本発明の一実施形態を示す模式図。
【図３】本発明の他の実施形態を示す模式図。
【図４】本発明の他の実施形態を示す模式図。
【図５】本発明の更に他の実施形態を示す模式図。
【図６】本発明の更に他の実施形態を示す模式図。
【図７】本発明の実施形態の動作を説明するフローチャート図。
【図８】本発明の実施形態の動作を説明するフローチャート図。
【図９】本発明の参考例の動作を説明するフローチャート図。
【図１０】本発明の更に他の実施形態の動作を説明するフローチャート図。
【図１１】従来の浴水浄化装置の構成を説明する模式図。
【図１】
0004351320.tif 000002
【図２】
0004351320.tif 000003
【図３】
0004351320.tif 000004
【図４】
0004351320.tif 000005
【図５】
0004351320.tif 000006
【図６】
0004351320.tif 000007
【図７】
0004351320.tif 000008
【図８】
0004351320.tif 000009
【図９】
0004351320.tif 000010
【図１０】
0004351320.tif 000011
【図１１】
0004351320.tif 000012